(57)【要約】【課題】操作が簡便容易で外観から錠の開閉状態を直接見分けられる両用式のスーツケース用センターロックを提供する。【解決手段】本体は、ケース内に収容され、内に軸受空間を有する。本体の底面は、横凹部と貫通孔とを有する。伝動軸３０は、本体の軸受空間内に配置され、両端にはそれぞれ１個の回転部３１を有し、上部にねじ山３２を有する。回転部３１のねじ山３２によって誘導され移動する２個の閉鎖板は、本体の上面に設置され、回転部３１のねじ山３２内に挿入される。係止部材は、横凹部内に収容され、横凹部内を移動でき、かつ伝動軸３０に連動して回転する。底板は、本体の底面を覆っている。【選択図】　　　図６
0003097596.tif 000002
【実用新案登録請求の範囲】
【請求項１】
内に１個の収容空間を有し、片側に１個の鍵孔が設けられ、外側から該収容空間に貫通する１個のケースと、
該ケース内に収容され、内に１個の軸受空間が設けられ、上面には長軸方向に１個の長形凹部が設けられ、該長形凹部の両端にはそれぞれ１個の長溝孔が設けられ、該長形凹部の中段位置には１個の鍵孔が設けられ、前側面には１個の誘導溝が設けられ、底面には短軸方向に１個の横凹部が設けられ、底面には１個の貫通孔が設けられている１個の本体と、
該本体の軸受部内に設置され、両端にはそれぞれ１個の回転部が設けられ、上部にはねじ山が設けられ、その内１個の回転部の内端面には若干の斜凸歯が環状に設けられている１個の伝動軸と、
該伝動軸上に套設され、斜凸歯を備えた回転部に近接し、該回転部と近接している端面には同様に若干の斜凸歯が設けられ、外周面には凸歯が設けられ、該凸歯は該本体の貫通孔の箇所に位置する１個の係止輪と、
該伝動軸上に套設され、１端は該軸受部の内壁に当接し別の１端は該係止輪の端面に当接し、該係止輪に該回転部と近接した位置を保持させる１個のスプリングと、
それぞれ１個のストッパー部が設けられ、該本体の長形凹部内に収容され、該ストッパー部は該長形凹部の長溝孔を通って該伝動軸の回転部のねじ山内に挿入される２個の閉鎖板と、
該誘導溝内に収容され、正面には開閉状態を示す符号が設けられ、背面には１個の凸柱が凸設されており、該伝動軸の回転部のねじ山内に挿入される１個の標示板と、
両側にそれぞれ１個の受け部が設けられ、その内１個の受け部の底面には若干のギアが設けられ、別の１面には１個の窪みが設けられ、鍵を挿入可能になっており、該横凹部内に収容され、またギアを有する受け部は、貫通孔を有する滑り溝中に位置し、該ギアが該係止輪の外周の凸歯と噛合うようになっている１個の係止部材と、
下部材の底面にかぶさる１個の底板であって、該係止部材を該底板と該本体の横凹部の間に挟み、該係止部材の窪みが１個の鍵挿入孔を形成するようにしている１個の底板と、
を備えることを特徴とする両用式のスーツケース用センターロック。
【請求項２】
該横凹部の両辺にはそれぞれ１個の滑り溝が設けられ、その内１個の滑り溝の底面には該貫通孔が設けられ、別の１個の滑り溝の１端には１個の止め部が設けられていることを特徴とする請求項１記載の両用式のスーツケース用センターロック。
【請求項３】
該係止部材は該横凹部内に収容され、２個の受け部はそれぞれ該２個の滑り溝内に位置し、またギアを備えた受け部は貫通孔を備えた滑り溝内に位置し、該ギアが該係止輪の外周の凸歯と噛合うようになっていることを特徴とする請求項２記載の両用式のスーツケース用センターロック。
【請求項４】
該横凹部の滑り溝の止め部と該係止部材の１個の受け部の端面の間には１個の弾性部品が設けられていることを特徴とする請求項２記載の両用式のスーツケース用センターロック。
【請求項５】
該本体は上下２個の部材が互いにかぶさり合って形成され、該上下２個の部材が近接する近接面には長軸方向にそれぞれ１個の亜鈴形を呈する軸受部が凹設され該軸受空間を形成していることを特徴とする請求項１記載の両用式のスーツケース用センターロック。
【請求項６】
上部材の上面には長軸方向に該長形凹部が設けられていることを特徴とする請求項５記載の両用式のスーツケース用センターロック。
【請求項７】
上下部材の前側面にはそれぞれ１個の内側に凹んだ肩部が設けられ該誘導溝を形成していることを特徴とする請求項５記載の両用式のスーツケース用センターロック。
【請求項８】
該本体の後側面の両端にはそれぞれ１個の受け溝が設けられ、各受け溝内にはそれぞれ１個の長溝孔が設けられていることを特徴とする請求項１記載の両用式のスーツケース用センターロック。
【請求項９】
該２個の受け溝内にはそれぞれ１個の連結部品が設けられていることを特徴とする請求項８記載の両用式のスーツケース用センターロック。
【請求項１０】
各連結部品上には１個の凸柱が設けられ、該長溝孔を通って同様に回転部のねじ山内に挿入され、該回転部が回転する時に該ねじ山が該２個の連結部品を誘導して移動させるようにしていることを特徴とする請求項９記載の両用式のスーツケース用センターロック。
【考案の詳細な説明】
【０００１】
【考案の属する技術分野】
本考案はスーツケース用の錠に関し、特に両用式のスーツケース用センターロックに関する。
【０００２】
【従来の技術】
一般的に、スーツケースのセンターロックは通常鍵を回転させることにより開閉させるが、使用者は外観から該センターロックが開放あるいは閉鎖の状態かを知ることができない。さらに、スーツケースのセンターロックとサイドロックは通常それぞれ分かれて独立しており、使用者がセンターロックとサイドロックを開放あるいは施錠したい時、それぞれ違う鍵で開閉しなければならず、使用上、比較的煩雑である。
【０００３】
【考案が解決しようとする課題】
本考案の目的は、操作が簡便容易で外観から錠の開閉状態を直接見分けられる両用式のスーツケース用センターロックを提供する。
本発明のもう１つの目的は、スーツケースのセンターロックおよびサイドロックを同時に開放あるいは閉鎖可能な両用式のスーツケース用センターロックを提供することである。
【０００４】
【課題を解決するための手段】
上述の目的を達成するために、本考案における両用式のスーツケース用センターロックは以下の内容を含む、内に１個の収容空間を有し、片側に１個の鍵孔を有する１個のケース。該ケース内に収容され、内に１個の軸受空間が設けられている１個の本体。
【０００５】
該本体の底面には短軸方向に１個の横凹部が設けられ、底面には１個の貫通孔が設けられている。該本体の軸受空間内に設置され、両端にはそれぞれ１個の回転部が設けられ、上部にはねじ山が設けられている１個の伝動軸。
【０００６】
該本体の上面に設置され、該伝動軸回転部のねじ山内に挿入され、該回転部のねじ山によって誘導され移動する２個の閉鎖板。該横凹部内に収容され、該横凹部内を移動でき、かつ該伝動軸に連動して回転する１個の係止部材。該本体の底面を覆っている１個の底板。
【０００７】
【考案の実施の形態】
以下に１実施例をあげ、図面に基づき本考案の構造、特徴および効果について詳しく説明する。
まず図１から図７および図１０をご参照いただきたい。本考案の実施例による両用式スーツケース用センターロックは以下の内容を含む。
【０００８】
１個のケース１０、１個の長形体で、内には１個の収容空間１１を有し、該ケースの片側には１個の鍵孔１２が設けられ、図３に示されるように外側から該収容空間に貫通する。１個の本体２０、該ケース内に収容され、上下２個の部材が互いにかぶさり合って形成される、該上部材２１には該下部材２２と接している底面に長軸方向に１個の亜鈴形を呈する軸受部２１１が凹設されている。該上部材の上面には、長軸方向に１個の長形凹部２１２が設けられている、該長形凹部の両端には、図３に示されるようにそれぞれ１個の長溝孔２１３が設けられており、該長形凹部の中段位置には１個の鍵孔２１４が設けられている。該上部材の前側面下段には１個の内側に凹んだ肩部２１５が設けられ、該肩部内縁には上向きに１個の誘導溝（図中非表示）が凹設されている。
【０００９】
該上部材の後側面の両端にはそれぞれ１個の受け部２１６が凹設され、各受け部内の該上部材底端部に近い箇所には１個の溝２１７が設けられている。該下部材の後側面の両端には該上部材の２個の受け部２１６に対応する位置に、同様に２個の受け部２２１が凹設され、各受け部内の該下部材上面部に近い箇所にも１個の溝２２２が設けられており、該下部材と該上部材とをかぶせ合わせた後、該２組の受け部は対応し、２個の受け溝２３を形成し、また該２組の溝は２個の長溝孔２４を形成する。
【００１０】
該下部材の底面には、該下部材の短軸方向に１個の横凹部２２３が設けられ、該横凹部の両辺にはそれぞれ１個の滑り溝２２４が設けられ、その内１個の滑り溝の底面には１個の貫通孔２２５が設けられ、別の１個の滑り溝の１端には１個の止め部２２６が設けられている。該横凹部にはまた、該２個の滑り溝の間に若干の受け孔２２７が設けられ、磁性体を収容する。該下部材の前側面上段には、１個の内側に凹んだ肩部２２８が設けられ、該肩部内縁には下向きに１個の誘導溝２２９が凹設され、該上部材の誘導溝と互いに対応して１個の誘導溝２５を形成する。該下部材の該上部材２１と接する底面には長軸方向に１個の軸受部２３０が同様に凹設され、該上部材の軸受部と対応して１個の軸受空間を形成する。
【００１１】
１個の伝動軸３０、図６および図７に示されるように、該上下部材がかぶさり合った時、２個の軸受部により形成される軸受空間内に設置され、該伝動軸の両端にはそれぞれ１個の回転部３１が設けられ、上部には往復式のねじ山３２が設けられ、その内１個の回転部の内端面には若干の斜凸歯３３が環状に設けられている。
【００１２】
１個の係止輪４０、該伝動軸３０上に套設され、斜凸歯３３を備えた回転部に近接し、該回転部と接している端面には同様に若干の斜凸歯４１が設けられ、該係止輪と該回転部の間に単方向のつめ車の作用を形成し、該係止輪の外周面には凸歯４２が設けられ、該凸歯は該下部材の貫通孔２２５の箇所に位置する。
１個のスプリング５０、該伝動軸３０上に套設され、１端は該軸受部の内壁に当接し、別の１端は該係止輪４０の端面に当接し、該係止輪に該回転部３１と近接した位置を保持させる。
【００１３】
２個の閉鎖板６０、それぞれ１個のストッパー部６１が設けられ、該２個の閉鎖板は該上部材の長形凹部２１２内に収容され、該ストッパー部は該長形凹部の長溝孔２１３を通って該伝動軸回転部のねじ山内に挿入される、該２個の閉鎖板はまた、向かい合う内側の該鍵孔に対応する位置に、図３に示されるようにそれぞれ１個の切欠き６２が設けられている。
【００１４】
１個の標示板７０、該誘導溝２５内に収容され、該標示板の正面には開閉状態を示す符号が設けられている、本実施例中では２組の標示字形で、それぞれＡ組の“ＬＯＣＫ”およびＢ組の“ＯＰＥＮ”であり、該標示板の背面には１個の凸柱７１が凸設されており、該伝動軸回転部のねじ山３２内に挿入されている。
【００１５】
１個の係止部材８０、長形を呈し、両側にはそれぞれ１個の受け部８１が設けられ、その内１個の受け部の底面には若干のギア８２が設けられ、該ギアと同一面にある該２個の受け部の間の、該下部材横凹部２２３の受け孔に対応する位置に、同様に若干の受け孔８３が設けられており、該係止部材の別の１面には１個の窪み８４が設けられ、鍵を挿入可能になっている。該係止部材は該横凹部内に収容され、該２個の受け部がそれぞれ該２個の滑り溝２２４内に位置するようにさせており、またギアを有する受け部は、貫通孔を有する滑り溝中に位置し、該ギアが該係止輪外周の凸歯４２と噛合うようになっている。
【００１６】
１個の弾性部品９０、該横凹部滑り溝の止め部２２６と該係止部材の１個の受け部２２６端面の間に設けられ、その弾力で、該係止部材に該止め部から離れた位置を保持させる。本実施例中では、該弾性部品は１個のスプリングであるが、１個の板ばねあるいは１個のゴム等、同様の効果がある部品でもよい。
【００１７】
１個の底板１００、該下部材２２の底面にかぶさり、該係止部材８０を該底板と該下部材横凹部２２３の間に挟み、該係止部材の窪みが１個の鍵挿入孔１０１を形成するようにしている。
【００１８】
上述の構造により、本実施例の使用時における全体の動作は以下の通りになる。使用者が磁石の鍵を挿入すると（磁石の鍵と磁性体の組合せは従来の技術であり、ここでは詳述しない）、使用者は該鍵を該窪み８４に挿入でき、該係止部材を押し該滑り溝に沿って移動させる。該係止部材の移動に伴い、該係止部材は該ギアを該係止輪の凸歯と噛合わせ、該係止輪を回転させ、該係止輪は該斜凸歯により該伝動軸の回転部を連動させ、該伝動軸をこれにともなって回転させる、また該２個の閉鎖板は該ストッパー部により該２個の回転部のねじ山内に挿入されているので、該伝動軸の回転により、該２個の閉鎖板は該ねじ山に誘導され、該長形凹部内で相対的に近づく、あるいは相対的に離れるという移動をし、同時に該ねじ山は該標示板も該誘導溝に沿って一緒に誘導し、左右往復の移動をさせる。使用者が鍵への圧迫を緩めた時は、該弾性部品は弾力を取り戻し該係止部材を正常な位置に戻し、該係止輪を反対方向に回転させる、しかしこの時、該係止輪の斜凸歯は該伝動軸を連動して回転させない。
【００１９】
たとえば、図４に示されるように、該２個の閉鎖板が相対的に近づいた閉鎖位置にある時、該標示板の外部の標示窓孔Ｄに示される字形はＡ組の“ＬＯＣＫ”である。使用者は鍵を挿入し該係止部材を押して、該伝動軸を連動させて９０度回転させ、該ねじ山が該２個の閉鎖板を誘導し、図３に示されるような相対的に離れた開放位置に移動させることができる。同時に該標示板を該誘導溝に沿って左側に移動させ、該標示窓孔ＤにＢ組の“ＯＰＥＮ”の字形を出現させる。
【００２０】
この後、スーツケースを閉めて、スーツケースのふた上のＴ型の鍵片Ｌを該鍵孔に挿入した後、使用者は、再度鍵を押すだけで、該係止部材を連動させて該伝動軸をもう一度９０度回転させることが可能である。この時、該２個の閉鎖板は開放位置から再び閉鎖位置に戻り、該標示板も再び右側へ移動し、前動作の位置に戻り、標示窓孔内には“ＬＯＣＫ”の字形が出現し、該Ｔ型鍵片が該鍵孔内に施錠されて、施錠の目的を達成する。
【００２１】
上述の使用状態の他に、図１０から図１２に示されるように、本実施例では本体後側面の２個の受け溝の箇所に、さらに１個の連結部品１２０がそれぞれ設けられる。各連結部品上には１個の凸柱１２１が設けられ、該長溝孔２４を通って、同様に回転部のねじ山３２内に挿入され、該回転部の回転時に該ねじ山が該２個の連結部品を誘導し移動させる。その後、該本体を１個のケース１２２内に位置させ、さらに該２個の連結部品はそれぞれ１個の連結棒組１２３とそれぞれ連結され、図１３に示されるようにスーツケースの両側のサイドロック１２４まで伸びている。
【００２２】
使用操作時に使用者が同様に鍵を鍵挿入孔中に挿入し、鍵で該係止部材を押し、該係止輪および伝動軸を連動して回転させる。この時、該２個の閉鎖板および標示板も同様に前述の動作を行う。同時に、該２個の回転部ねじ山の誘導により該２個の閉鎖板が相互に近づいた（閉鎖位置）時、該２個の連結部品も図１２に示されるようにそれぞれ両端に向かって凸伸し、連結部品と連結される連結棒がサイドロックの鍵孔１２５中に施錠されるようにし、センターとサイドを同時に施錠する動作を達成する。使用者がもう一度鍵を押すと、該２個の閉鎖板は開放位置に戻り、また該２個の連結部品も図１１に示されるように同時に内側に戻り、連結棒を連動して鍵孔より抜き出し、センターとサイドを同時に開放する動作を達成する。
【００２３】
この他、本実施例を実際に使用する時、多種の使用上の組合せが選択でき、製造者が自分で組合せて使用してよい。例えば、閉鎖板を設置せずに連結部品だけを設置すると、センターから同時に両端のサイドロックが制御可能であるという機能を使用者に提供することが可能である。これにより、本実施例の構造は確実に本考案の発明目的を達成することが可能である。
【図面の簡単な説明】
【図１】本考案の実施例による両用式のスーツケースのセンターロックをスーツケースに取り付けた状態を示す正面図である。
【図２】本考案の実施例による両用式のスーツケースのセンターロック本体部分を示す正面図である。
【図３】本考案の実施例による両用式のスーツケースのセンターロックを示す平面図である。
【図４】本考案の実施例による両用式のスーツケースのセンターロックの別の状態を示す平面図である。
【図５】図３中の閉鎖板を取り外した状態を示す平面図である。
【図６】図５中の上部材を取り外した状態を示す平面図である。
【図７】図５中の伝動軸および標示板を取り外した状態を示す平面図である。
【図８】本考案の底板を取り外した状態を示す下面図である。
【図９】図８中の係止部材を取り外した状態を示す下面図である。
【図１０】本考案の実施例による両用式のスーツケースのセンターロック本体を示す背面図である。
【図１１】図１０に連結部品を取り付けた状態を示す背面図である。
【図１２】本考案の実施例による両用式のスーツケースのセンターロック本体に連結部品を取り付け、ケースに取り付けた状態を示す概略図である。
【図１３】本考案の実施例による両用式のスーツケースのセンターロックをスーツケースに取り付け、連結部品および連結棒でサイドロックと連結した状態を示す概略図である。
【符号の説明】
１０　　ケース
１１　　収容空間
１２　　鍵孔
２０　　本体
２１　　上部材
２１１　　軸受部
２１２　　長形凹部
２１３　　長溝孔
２１４　　鍵孔
２１５　　肩部
２１６　　受け部
２１７　　溝
２２　　下部材
２２１　　受け部
２２２　　溝
２２３　　横凹部
２２４　　滑り溝
２２５　　貫通孔
２２６　　止め部
２２７　　受け孔
２２８　　肩部
２２９　　誘導溝
２３　　受け溝
２４　　長溝孔
２５　　誘導溝
２３０　　軸受部
３０　　伝動軸
３１　　回転部
３２　　ねじ山
３３　　斜凸歯
４０　　係止輪
４１　　斜凸歯
４２　　凸歯
５０　　スプリング
６０　　閉鎖板
６１　　ストッパー部
６２　　切欠き
７０　　標示板
７１　　凸柱
８０　　係止部材
８１　　受け部
８２　　ギア
８３　　受け孔
８４　　窪み
９０　　弾性部品
１００　　底板
１０１　　鍵挿入孔
【図１】
0003097596.tif 000003
【図２】
0003097596.tif 000004
【図３】
0003097596.tif 000005
【図４】
0003097596.tif 000006
【図５】
0003097596.tif 000007
【図６】
0003097596.tif 000008
【図７】
0003097596.tif 000009
【図８】
0003097596.tif 000010
【図９】
0003097596.tif 000011
【図１０】
0003097596.tif 000012
【図１１】
0003097596.tif 000013
【図１２】
0003097596.tif 000014
【図１３】
0003097596.tif 000015